(57)【要約】【課題】複数の階層からなる建物における給水システムの衛生性の効率的且つ正確な診断を可能にする。【解決手段】複数の階層からなる建物における給水システムの衛生性を診断するための給水衛生性診断装置１であって、対象となる建物及び給水システムに関する基本データ１０を記憶するデータ記憶手段２、前記基本データ１０に基づいて、所定区間の配管内の水が入れ替わるまでに要する入れ替え時間を算出する入れ替え時間算出手段３、前記入れ替え時間に基づいて、水質を判定する水質判定手段４、を有して構成される。【選択図】図１
2005090020.tif 000002
【特許請求の範囲】
【請求項１】
複数の階層からなる建物における給水システムの衛生性を診断するための給水衛生性診断装置であって、
対象となる建物及び給水システムに関する基本データを記憶するデータ記憶手段、
前記基本データに基づいて、所定区間の配管内の水が入れ替わるまでに要する入れ替え時間を算出する入れ替え時間算出手段、
前記入れ替え時間に基づいて、水質を判定する水質判定手段、
を有して構成される給水衛生性診断装置。
【請求項２】
前記基本データに基づいて、対象となる建物のポンプ室から各住戸入口までの配管、及び該配管内の水量を分析する住戸外配管分析手段を有する請求項１記載の給水衛生性診断装置。
【請求項３】
前記基本データに基づいて、各住戸入口から該住居内に配される給水器具までの配管、及び該配管内の水量を分析する住戸内配管分析手段を有する請求項２記載の給水衛生性診断装置。
【請求項４】
前記入れ替え時間算出手段は、前記基本データ、前記住戸外配管分析手段により分析された情報、及び前記住戸内配管分析手段により分析された情報に基づいて、前記入れ替え時間を算出することを特徴とする請求項３記載の給水衛生性診断装置。
【請求項５】
前記水質判定手段は、前記入れ替え時間及び前記基本データに基づいて、水中の残留塩素濃度又は金属の浸出度の少なくともどちらか一方を算出することを特徴とする請求項１〜４のいずれか１つに記載の給水衛生性診断装置。
【請求項６】
前記基本データには、給水システムを構成する配管、住戸内に配される給水器具、住宅型式、居住人数、空家の状況、使用水量の時系列変化、給水器具の同時使用率、塩素濃度の変化、金属の浸出度、給水方法、建物の階数、建物の階高、配管パターン、系統数、配管の分岐工法に関する情報が含まれることを特徴とする請求項１〜５のいずれか１つに記載の給水衛生性診断装置。
【請求項７】
利用者による操作により前記基本データの入力及び変更を可能にする入力手段を有することを特徴とする請求項１〜６のいずれか１つに記載の給水衛生性診断装置。
【請求項８】
複数の階層からなる建物の給水システムにおいて、所定区間の配管内の水が入れ替わるまでに要する入れ替え時間を算出する入れ替え時間算出装置であって、
対象となる建物及び給水システムに関する基本データに基づいて、対象となる建物のポンプ室から各住戸入口までの配管、及び該配管内の水量を分析する住戸外配管分析手段と、
前記基本データに基づいて、各住戸入口から該住居内に配される給水器具までの配管、及び該配管内の水量を分析する住戸内配管分析手段を有して構成され、
前記基本データ、前記住戸外配管分析手段により分析された情報、及び前記住戸内配管分析手段により分析された情報に基づいて、前記入れ替え時間を算出することを特徴とする入れ替え時間算出装置。
【請求項９】
前記建物内の空家の状況に基づいて、前記入れ替え時間を補正することを特徴とする請求項８記載の入れ替え時間算出装置。
【請求項１０】
複数の階層からなる建物における給水システムの衛生性を診断するための給水衛生性診断プログラムであって、
所定のコンピュータを、
対象となる建物及び給水システムに関する基本データを記憶するデータ記憶手段、
前記基本データに基づいて、所定区間の配管内の水が入れ替わるまでに要する入れ替え時間を算出する入れ替え時間算出手段、
前記入れ替え時間に基づいて、水質を判定する水質判定手段、
として機能させる給水衛生性診断プログラム。
【請求項１１】
前記コンピュータを、更に、
前記基本データに基づいて、対象となる建物のポンプ室から各住戸入口までの配管、及び該配管内の水量を分析する住戸外配管分析手段、
として機能させる請求項１０記載の給水衛生性診断プログラム。
【請求項１２】
前記コンピュータを、更に、
前記基本データに基づいて、各住戸入口から該住居内に配される給水器具までの配管、及び該配管内の水量を分析する住戸内配管分析手段、
として機能させる請求項１１記載の給水衛生性診断プログラム。
【請求項１３】
前記入れ替え時間算出手段が、前記基本データ、前記住戸外配管分析手段により分析された情報、及び前記住戸内配管分析手段により分析された情報に基づいて、前記入れ替え時間を算出するようにする請求項１２記載の給水衛生性診断プログラム。
【請求項１４】
前記水質判定手段が、前記入れ替え時間及び前記基本データに基づいて、水中の残留塩素濃度又は金属の浸出度の少なくともどちらか一方を算出するようにする請求項１０〜１３のいずれか１つに記載の給水衛生性診断プログラム。
【請求項１５】
前記基本データには、給水システムを構成する配管、住戸内に配置される給水器具、住宅型式、居住人数、空家の状況、使用水量の時系列変化、給水器具の同時使用率、塩素濃度の変化、金属の浸出度、給水方法、建物の階数、建物の階高、配管パターン、系統数、配管の分岐工法に関する情報が含まれることを特徴とする請求項１０〜１４のいずれか１つに記載の給水衛生性診断プログラム。
【請求項１６】
前記コンピュータを、更に、
利用者による操作により前記基本データの入力及び変更を可能にする入力手段、
として機能させる請求項１０〜１４のいずれか１つに記載の給水衛生性診断プログラム。
【請求項１７】
前記請求項１０〜１６のいずれか１つに記載の給水衛生性診断プログラムを記録したコンピュータ読み取り可能な記録媒体。
【請求項１８】
複数の階層からなる建物の給水システムにおいて、所定区間の配管内の水が入れ替わるまでに要する入れ替え時間を算出する入れ替え時間算出プログラムであって、
所定のコンピュータを、
対象となる建物及び給水システムに関する基本データを記録する基本データ記録手段、
前記基本データに基づいて、対象となる建物のポンプ室から各住戸入口までの配管、及び該配管内の水量を分析する住戸外配管分析手段、
前記基本データに基づいて、各住戸入口から該住居内に配される給水器具までの配管、及び該配管内の水量を分析する住戸内配管分析手段、
前記基本データ、前記住戸外配管分析手段により分析された情報、及び前記住戸内配管分析手段により分析された情報に基づいて、前記入れ替え時間を算出する入れ替え時間算出手段、
として機能させる入れ替え時間算出プログラム。
【請求項１９】
前記建物内の空家の状況に基づいて、前記入れ替え時間を補正することを特徴とする請求項１８記載の入れ替え時間算出プログラム。
【請求項２０】
前記請求項１８又は１９に記載の入れ替え時間算出プログラムを記録したコンピュータ読み取り可能な記録媒体。
【発明の詳細な説明】
【技術分野】
【０００１】
本発明は、集合住宅等の複数の階層からなる建物における給水システムの衛生性を診断するための技術に関するものである。
【背景技術】
【０００２】
集合住宅における給水システムに関する発明としては、各住戸への給水枝管に設けられた給水メーターの下流側に所定量の上水を貯留できると共に、エア抜きを備えた上水貯留用容器を設置し、同上水貯留用容器を介して住戸内の各水栓に給水配管を配管してなり、これにより、受水槽が損壊した場合においても少なくとも数日間にわたって各住戸内でそれぞれ飲料水等の最小限の水を確保することができるとするもの（特許文献１参照）等が開示されている。
【特許文献１】特開平９−２０３０９０号公報
【発明の開示】
【発明が解決しようとする課題】
【０００３】
しかしながら、上記特許文献１に開示される発明を含む従来の技術によっては、集合住宅における給水の衛生性を診断することはできない。
【０００４】
そこで、本発明は、複数の階層からなる建物における給水システムの衛生性の効率的且つ正確な診断を可能にすることを課題とする。
【課題を解決するための手段】
【０００５】
上記課題を解決することを目的とする本発明は、複数の階層からなる建物における給水システムの衛生性を診断するための給水衛生性診断装置であって、対象となる建物及び給水システムに関する基本データを記憶するデータ記憶手段、前記基本データに基づいて、所定区間の配管内の水が入れ替わるまでに要する入れ替え時間を算出する入れ替え時間算出手段、前記入れ替え時間に基づいて、水質を判定する水質判定手段、を有して構成される給水衛生性診断装置である（請求項１）。
【０００６】
また、上記請求項１記載の給水衛生性診断装置において、前記基本データに基づいて、対象となる建物のポンプ室から各住戸入口までの配管、及び該配管内の水量を分析する住戸外配管分析手段を有するものである（請求項２）。
【０００７】
また、上記請求項２記載の給水衛生性診断装置において、前記基本データ、及び前記住戸外配管分析手段により分析された情報に基づいて、各住戸入口から該住戸内に配される給水器具までの配管、及び該配管内の水量を分析する住戸内配管分析手段を有するものである（請求項３）。
【０００８】
また、上記請求項３記載の給水衛生性診断装置において、前記入れ替え時間算出手段は、前記基本データ、前記住戸外配管分析手段により分析された情報、及び前記住戸内配管分析手段により分析された情報に基づいて、前記入れ替え時間を算出することを特徴とするものである（請求項４）。
【０００９】
また、上記請求項１〜４のいずれか１つに記載の給水衛生性診断装置において、前記水質判定手段は、前記入れ替え時間及び前記基本データに基づいて、水中の残留塩素濃度又は金属の浸出度の少なくともどちらか一方を算出することを特徴とするものである（請求項５）。
【００１０】
また、上記請求項１〜５のいずれか１つに記載の給水衛生性診断装置において、前記基本データには、給水システムを構成する配管、住戸内に配される給水器具、住宅型式、居住人数、空家の状況、使用水量の時系列変化、給水器具の同時使用率、塩素濃度の変化、金属の浸出度、給水方法、建物の階数、建物の階高、配管パターン、系統数、配管の分岐工法に関する情報が含まれることを特徴とするものである（請求項６）。
【００１１】
また、上記請求項１〜６のいずれか１つに記載の給水衛生性診断装置において、利用者による操作により前記基本データの入力及び変更を可能にする入力手段を有することを特徴とするものである（請求項７）。
【００１２】
また、本発明は、複数の階層からなる建物の給水システムにおいて、所定区間の配管内の水が入れ替わるまでに要する入れ替え時間を算出する入れ替え時間算出装置であって、対象となる建物及び給水システムに関する基本データに基づいて、対象となる建物のポンプ室から各住戸入口までの配管、及び該配管内の水量を分析する住戸外配管分析手段と、前記基本データに基づいて、各住戸入口から該住戸内に配される給水器具までの配管、及び該配管内の水量を分析する住戸内配管分析手段とを有して構成され、前記基本データ、前記住戸外配管分析手段により分析された情報、及び前記住戸内配管分析手段により分析された情報に基づいて、前記入れ替え時間を算出することを特徴とするものである（請求項８）。
【００１３】
また、上記請求項８記載の入れ替え時間算出装置において、前記建物内の空家の状況に基づいて、前記入れ替え時間を補正することを特徴とするものである（請求項９）。
【００１４】
また、本発明は、複数の階層からなる建物における給水システムの衛生性を診断するための給水衛生性診断プログラムであって、所定のコンピュータを、対象となる建物及び給水システムに関する基本データを記憶するデータ記憶手段、前記基本データに基づいて、所定区間の配管内の水が入れ替わるまでに要する入れ替え時間を算出する入れ替え時間算出手段、前記入れ替え時間に基づいて、水質を判定する水質判定手段、として機能させるものである（請求項１０）。
【００１５】
また、上記請求項１０記載の給水衛生性診断プログラムにおいて、前記コンピュータを、更に、前記基本データに基づいて、対象となる建物のポンプ室から各住戸入口までの配管、及び該配管内の水量を分析する住戸外配管分析手段、として機能させるものである（請求項１１）。
【００１６】
また、上記請求項１１記載の給水衛生性診断プログラムにおいて、前記コンピュータを、更に、前記基本データに基づいて、各住戸入口から該住戸内に配される給水器具までの配管、及び該配管内の水量を分析する住戸内配管分析手段、として機能させるものである（請求項１２）。
【００１７】
また、上記請求項１２記載の給水衛生性診断プログラムにおいて、前記入れ替え時間算出手段が、前記基本データ、前記住戸外配管分析手段により分析された情報、及び前記住戸内配管分析手段により分析された情報に基づいて、前記入れ替え時間を算出するようにするものである（請求項１３）。
【００１８】
また、上記請求項１０〜１３のいずれか１つに記載の給水衛生性診断プログラムにおいて、前記水質判定手段が、前記入れ替え時間及び前記基本データに基づいて、水中の残留塩素濃度又は金属の浸出度の少なくともどちらか一方を算出するようにするものである（請求子１４）。
【００１９】
また、上記請求項１０〜１４のいずれか１つに記載の給水衛生性診断プログラムにおいて、前記基本データには、給水システムを構成する配管、住戸内に配置される給水器具、住宅型式、居住人数、空家の状況、使用水量の時系列変化、給水器具の同時使用率、塩素濃度の変化、金属の浸出度、給水方法、建物の階数、建物の階高、配管パターン、系統数、配管の分岐工法に関する情報が含まれることを特徴とするものである（請求項１５）。
【００２０】
また、上記請求項１０〜１４のいずれか１つに記載の給水衛生性診断プログラムにおいて、前記コンピュータを、更に、利用者による操作により前記基本データの入力及び変更を可能にする入力手段、として機能させるものである（請求項１６）。
【００２１】
また、本発明は、上記請求項１０〜１６のいずれか１つに記載の給水衛生性診断プログラムを記録したコンピュータ読み取り可能な記録媒体である（請求項１７）。
【００２２】
また、本発明は、複数の階層からなる建物の給水システムにおいて、所定区間の配管内の水が入れ替わるまでに要する入れ替え時間を算出する入れ替え時間算出プログラムであって、所定のコンピュータを、対象となる建物及び給水システムに関する基本データを記録する基本データ記録手段、前記基本データに基づいて、対象となる建物のポンプ室から各住戸入口までの配管、及び該配管内の水量を分析する住戸外配管分析手段、前記基本データに基づいて、各住戸入口から該住戸内に配される給水器具までの配管、及び該配管内の水量を分析する住戸内配管分析手段、前記基本データ、前記住戸外配管分析手段により分析された情報、及び前記住戸内配管分析手段により分析された情報に基づいて、前記入れ替え時間を算出する入れ替え時間算出手段、として機能させるものである（請求項１８）。
【００２３】
また、上記請求項１８記載の入れ替え時間算出プログラムにおいて、前記建物内の空家の状況に基づいて、前記入れ替え時間を補正することを特徴とするものである（請求項１９）。
【００２４】
また、本発明は、前記請求項１８又は１９に記載の入れ替え時間算出プログラムを記録したコンピュータ読み取り可能な記録媒体である（請求項２０）。
【発明の効果】
【００２５】
本発明者は、集合住宅等の複数の階層からなる建物においては、住戸の存在位置、即ち給水システムにおけるポンプからの距離によって、配管内に停留する水の入れ替え時間が異なり、この入れ替え時間が給水の衛生性に大きく関わることに着目した。
【００２６】
上記請求項１〜７記載の発明によれば、所定区間の配管内の水が入れ替わるまでに要する入れ替え時間に基づいて水質を判断することにより、給水の衛生性を効率的且つ正確に診断することができ、また前記入れ替え時間を正確に算定することができる装置を提供することができる。
【００２７】
上記請求項８，９記載の発明によれば、複数の階層からなる建物の給水システムにおける所定区間の配管内の水が入れ替わるまでに要する入れ替え時間を効率的且つ正確に算定する装置を提供することができる。
【００２８】
上記請求項１０〜１６記載の発明によれば、所定のコンピュータに対して、入れ替え時間に基づいて水質を判断することにより給水の衛生性を効率的且つ正確に診断し、また前記入れ替え時間を正確に算定する機能を持たせることができる。また、上記請求項１７記載の発明により、上記請求項１０〜１６記載のプログラムを所定のコンピュータで動作させることができる。
【００２９】
上記請求項１８，１９記載の発明によれば、所定のコンピュータに対して、入れ替え時間を効率的且つ正確に算定する機能を持たせることができ、また記請求項２０記載の発明により、上記請求項１８，１９記載のプログラムを所定のコンピュータで動作させることができる。
【００３０】
また、前記入れ替え時間は、上記請求項２に記載の構成のように、基本データに基づいて住戸外配管（対象となる建物のポンプ室から各住戸入口までの配管）について分析すると共に、上記請求項３に記載の構成のように、基本データに基づいて住戸内配管（各住戸入口から給水器具までの配管）について分析し、これらの分析された情報及び基本データに基づいて算出されることが望ましく、これにより効率的且つ正確な算定が可能となる。
【００３１】
また、入れ替え時間の増加に伴い、残留塩素濃度（殺菌能力）が小さくなり、また配管等から金属が浸出する度合が大きくなるので、上記請求項４記載の構成のようにすることにより、有効な診断をすることができる。
【発明を実施するための最良の形態】
【００３２】
以下、添付した図面を参考にして本発明の実施例を説明する。
【実施例１】
【００３３】
本発明に係る給水衛生性診断装置１は、複数の階層からなる集合住宅等の建物における給水システムの衛生性を診断するためのものであり、図１に示すように、データ記憶手段２、入れ替え時間算出手段３、水質判定手段４、入力手段５を有して構成されている。これらの手段は、ＣＰＵ、ＲＯＭ、ＲＡＭ、入出力ポート、キーボード、ディスプレイ等から構成されるコンピュータと、これを動作させるプログラムとの共同により実現されるものである。
【００３４】
前記データ記憶手段２には、給水の衛生性を診断するのに有益な様々な情報である基本データ１０が記憶されている。この基本データ１０には、建物の区別に関係なく予め設定可能な基礎的情報１１と、建物に固有の建物情報１２とが含まれており、基礎的情報１１には、配管の種別（呼び径、実際の内径）、給水器具（風呂場、トイレ等）別に設定された標準使用水量、住宅型式（間取り）別に設定された標準居住人数、時間的な使用水量の変化割合、各給水器具が同時に使用される割合、水質劣化に関係するデータ（水中の残留塩素の減少率、金属の水への浸出速度）等が含まれ、建物情報１２には、給水方法、対象建物の全階数、１階及び基準階の高さ（階高）、前記給水方式に対応した配管パターン、対象建物の主管から分岐する管の系統分け、各階の戸数、住戸内の配管形態（住戸内分岐工法）等が含まれる。上記基本データ１０は、ディスプレイに表示される入力画面やキーボード等により構成される入力手段５により、利用者によって入力・設定できるようになされている。
【００３５】
前記入れ替え時間算出手段３は、住戸外配管分析手段１３及び住戸内配管分析手段１４を含んで構成されている。住戸外配管分析手段１３は、前記データ記憶手段２に記憶された基本データ１０に基づいて、対象となる建物内にめぐらされた給水システムの配管のうち、住戸外、即ちポンプ室から各住戸入口までの配管、及び該配管内の水量を分析・算出するものであり、具体的には、配管の配設系統（構造）、用いられる配管の種類、配管のサイズ（直径・長さ）、所定区間毎の管内の水量等を、図や表の形で表示する。また、住戸内配管分析手段１４は、前記基本データ１０に基づいて、各住戸入口から該住戸内に配される給水器具までの配管、及び該配管内の水量を分析するものであり、具体的には、配管の配設系統（構造）、用いられる配管の種類、配管のサイズ（直径・長さ）、住戸入口から各給水器具までの配管内の水量等を、図や表の形で表示する。そして、前記入れ替え時間算出手段３は、前記基本データ１０、住戸外配管分析手段１３により分析・算出された情報、及び住戸内配管分析手段１４により分析・算出された情報に基づいて、所定区間、例えば各住戸内の配管内の水が入れ替わるまでに要する入れ替え時間を算出する。
【００３６】
前記水質判定手段４は、前記入れ替え時間算出手段３により算出された入れ替え時間及び前記基本データ１０に基づいて、所定区間内の水中の残留塩素濃度又は金属の浸出度の少なくともどちらか一方を算出する。前記入れ替え時間の増加に伴い、残留塩素濃度（殺菌能力）が小さくなり、また配管等から金属が浸出する度合が大きくなる。
【００３７】
図２に示すフローチャートは、本発明において対象となる建物の給水システムの衛生性を診断するまでの全体的な流れを示すものである。先ず、ステップ１００において、図３〜図５に示すような入力画面２０，３０，４０によって、前記基本データ１０の入力・設定が行われる。
【００３８】
図３に示す入力画面２０は、基本データ１０のうち、上記基礎的情報１１を入力及び再設定する際に利用されるものの例であり、各ボタン２１〜２６をクリックすることにより、それぞれ対応する情報の変更ができるようになされている。
【００３９】
図４及び図５に示す入力画面３０，４０は、基本データ１０のうち、上記建物情報１２を入力する際に利用されるものの例であり、図４に示す入力画面３０は、建物名入力部３１、受付年月日入力部３２、給水方式（直結直圧給水方式、直結増圧給水方式、ポンプ直送方式、高置水槽方式等）を選択可能になされた給水方法入力部３３、対象建物の全階数を入力する階数入力部３４、１階及び基準階の高さを入力する階高入力部３５、前記給水方式に対応した配管パターン（直結直圧給水方式：Ｉ型，逆Ｕ型，Ｈ型、直結増圧給水方式：Ｉ型，逆Ｕ型，Ｈ型、ポンプ直送方式：立ち上がり、高置水槽方式：立ち下がり，立ち上がり）を入力する配管パターン入力部３６、対象建物の主管から分岐する管を系統分けし、その総系統を入力する系統数入力部３７、所定の給水方式及び配管パターンである時に入力する各階戸数入力部３８、住戸内の配管形態を入力する住戸内分岐工法入力部３９を有して構成されている。図５に示す入力画面４０は、住戸外の配管情報を区間毎に入力するものであり、区間毎の分岐の有無を選択する部４１、分岐又は最上階の区間毎に、住戸に結合する配管の有無を選択する部４２、対象区間が立管若しくは横管であるかを選択する部４３、主管が立か横かを選択（若しくは前記給水方式、配管パターンから自動選択）する部４４、対象区間の配管の長さを入力する部４５、対象区間で用いられている配管の種類を選択する部４６、選択した配管の種類に対応した配管サイズを選択する部４７、直前の区間No.を（自動）入力する部４８、対象区間の分岐が何階に存在するかを入力する部４９、系統No.等を（自動）入力する部５０を有して構成されている。
【００４０】
次いで、ステップ１１０において、上記基本データ１０に基づいて、住戸外配管の分析、該配管内の水量の算出が行われる。ここでは、給水系統のモデル化が行われ、図６に示すように、各区間の給水管が区間番号ｘ（ｕ，ｖ，ｗ）によって示される。住戸外配管の分析及び配管水量の算出結果は、図７に示すような結果表示画面６０によって表示される。この結果表示画面６０には、配管の系統図６１、住戸外配管の区間番号毎に配管情報及び管内水量がまとめられた表６２が表示されている。
【００４１】
次いで、ステップ１２０において、上記基本データ１０に基づいて、住戸内配管の分析、及び該配管内の水量の算出が行われる。ここでは、先ず図８に示すような住戸内配管情報画面７０によって、系統毎に住戸内の情報を入力していく。この住戸内配管情報画面７０には、住戸内配管の系統図７１が表示され、住宅の型式を選択する部７２、給水・給湯、器具・配管に関する情報を入力する部７３が設けられている。この配管系統図７１は、先に入力した住戸内分岐工法（図４参照）等に基づいて作成され、ここでは住戸内分岐工法としてヘッダ工法を選択した場合を示している。
【００４２】
そして、前記住戸内配管情報画面７０に入力された情報に基づいて、住戸内の配管内の水量が算出され、その結果が図９に示すように、住戸内管内水量表７４として表示される。この住戸内管内水量表７４は、給水配管と給湯配管とに分けられ、また系統毎に作成され、系統番号入力部７５に所望の系統番号を入力することにより、それに対応する表が表示されるようになされている。
【００４３】
次いで、ステップ１３０において、上記基本データ１０、住戸外の管内水量、及び住戸内の管内水量に基づいて、入れ替え時間が算出される。この算出結果は、例えば図１０〜図１２に示すような入れ替え時間表示画面８０により表示される。これらの入れ替え時間表示画面８０には、入れ替え時間表８１、住戸設定部８２、空家数詳細設定ボタン８３が設けられており、入れ替え時間は、住戸毎、且つ給水器具毎に算出され、また住戸設定部８２の選択によって変化する。住戸設定部８２の選択肢としては、空家がない場合（図１０参照）、各住戸がその一軒だけしか存在しないと仮定した場合（図１１参照）、空家状況を設定した場合（図１２参照）である。図１２のように、住戸設定部８２を空家数詳細設定に選択した場合にのみ、前記空家数詳細設定ボタン８３がクリックできるようになり、所定の入力画面において、空家の場所等を設定するようになされている。図１０〜図１２の入れ替え時間表８１からわかるように、入れ替え時間は空家数が多いほど長くなる。
【００４４】
次いで、ステップ１４０において、上記のように算出された入れ替え時間、及び所定の基本データに基づいて、残留塩素濃度や金属浸出度等を算出し、水質の診断を行う。
【００４５】
以下、図１３〜図１５のフローチャートにおいて、前記入れ替え時間の具体的な算出例を示す。先ず、図１３に示す系統区間入力処理（ステップ２００）において、ＫＵ（区間Ｎｏ．, ｍ）とした時の系統区間の情報を入力する。ステップ２０１において、区間番号Ｅ＝１であるか否かを判定し、Ｅ＝１である場合には、ステップ２０２において、系統区間の情報の入力を終了し、図１４に示す各区間管内情報算出処理（ステップ３００）へ移行する。前記ステップ２０１において、Ｅ＝１でない場合には、ステップ２０３において、Ｅ区間において主管＝立管or横管であるか否かを判定し、主管＝立管or横管である場合には、ステップ２０４において、ＫＵ(Ｅ，１１)＝ＫＵ（Ｅ−１，１１）とし、前記ステップ２０２に移行する。
【００４６】
前記ステップ２０３において、Ｅ区間において主管＝立管or横管でない場合には、ステップ２０５において、Ｅ−１区間において主管＝立管or横管であるか否かを判定し、Ｅ−１区間において主管＝立管or横管である場合には、ステップ２０６において、ＫＵ(Ｅ，１０)＝ＫＵ（Ｅ−１，１１）とし、前記ステップ２０２に移行する。前記ステップ２０５において、Ｅ−１区間において主管＝立管or横管でない場合には、ステップ２０７において、Ｅ−１区間において分岐無・住戸有であるか否かを判定し、Ｅ−１区間において分岐無・住戸有である場合には、ステップ２０８において、ＫＵ(Ｅ，１０)＝ＫＵ（Ｅ−１，１０）−１とし、ＫＵ(Ｘ，１１)＝ＫＵ（Ｅ，１０）においてＸ＝１からＥまで繰り返し、ステップ２０９において、ＫＵ（Ｅ，８）＝Ｘとし、前記ステップ２０２に移行する。また、前記ステップ２０７において、Ｅ−１区間において分岐無・住戸有でない場合には、ステップ２１０において、ＫＵ(Ｘ，１０)＝ＫＵ（Ｅ−１，１０）とし、前記ステップ２０２に移行する。
【００４７】
次に、図１４に示す各区間管内情報算出処理（ステップ３００）について説明する。先ず、ステップ３０１において、図中の式（１）によって管内水量を算定し、ステップ３０２において、使用住戸数を算定し、ステップ３０３において、主管と枝管のどちらであるかを判定する。このステップ３０３において、主管である場合には、ＫＵ（Ｙ，１０）≧ＫＵ（ｉ，１１）を満たす住戸の合計を算出し、ステップ３０５において、次の区間であるか否かを判定し、次の区間がある場合には、前記ステップ３０１へ移行する。また、前記ステップ３０３において、枝管である場合には、ｉ＜Ｙ＜ＥにおいてＫＵ（Ｙ，１０）≧ＫＵ（ｉ，１０）を満たす住戸の合計を算出し、前記ステップ３０５へ移行する。
【００４８】
前記ステップ３０５において、次の区間がない場合には、ステップ３０７において、結果を出力し、ステップ３０８において、住戸内情報を入力し、ステップ３０９において、住戸入力が完了しかた否かを判定し、住戸入力が完了していない場合には、前記ステップ３０８に移行する。
【００４９】
前記ステップ３０９において、住戸入力が完了した場合には、図１５に示す住戸内管内情報の算出処理（ステップ４００）が行われる。ここでは、先ずステップ４０１において、図中の式（２）によって管内水量を算定し、ステップ４０２において、次の区間があるか否かを判定し、次の区間がある場合には、前記ステップ４０１へ移行する。前記ステップ４０２において、次の区間がない場合には、ステップ４０３において、各系統計算が終了したか否かを判定し、各系統計算が終了していない場合には、前記ステップ４０１へ移行する。前記ステップ４０３において、各系統計算が終了している場合には、ステップ４０４において、結果を出力した後、入れ替え時間算定処理（ステップ５００）を実行する。
【００５０】
入れ替え時間算定処理（ステップ５００）においては、先ずステップ５０１において、空家状況を設定し、ステップ５０２において、給水器具５０２を識別すると共に図中式（３）〜（５）によって入れ替え時間を算出する。そして、算出された入れ替え時間に基づいて、所定の水質劣化診断処理（ステップ６００）が行われる。
【００５１】
上記構成により、複数の階層からなる建物における給水システムの衛生性の効率的且つ正確な診断が可能となる。
【産業上の利用可能性】
【００５２】
以上のように、本発明によれば、集合住宅等の複数の階層からなる建物における給水システムの衛生性を効率的且つ正確に診断することができる。
【図面の簡単な説明】
【００５３】
【図１】図１は、本発明に係る給水衛生性診断装置が有する手段を示す図である。
【図２】図２は、本発明において水質の診断が行われるまでの全体的な流れを示すフローチャートである。
【図３】図３は、基本データ（基礎的情報）の入力・再設定を行う際の入力画面の例を示す図である。
【図４】図４は、基本データ（建物情報）の入力画面の例を示す図である。
【図５】図５は、基本データ（建物情報）の入力画面の例を示す図である。
【図６】図６は、給水系統のモデル化を示す図である。
【図７】図７は、住戸外配管の分析結果の表示画面例を示す図である。
【図８】図８は、住戸内配管の情報を入力する入力画面の例を示す図である。
【図９】図９は、住戸内配管の分析結果の表示画面例を示す図である。
【図１０】図１０は、入れ替え時間の算出結果（全住戸居住時）の表示画面の例を示す図である。
【図１１】図１１は、入れ替え時間の算出結果（１戸のみ居住時）の表示画面の例を示す図である。
【図１２】図１２は、入れ替え時間の算出結果（空家数詳細設定時）の表示画面の例を示す図である。
【図１３】図１３は、入れ替え時間の算出手順の一部を示すフローチャートである。
【図１４】図１４は、入れ替え時間の算出手順の一部を示すフローチャートである。
【図１５】図１５は、入れ替え時間の算出手順の一部を示すフローチャートである。
【符号の説明】
【００５４】
１  給水衛生性診断装置
２  データ記憶手段
３  入れ替え時間算出手段
４  水質判定手段
５  入力手段
１０  基本データ
１３  住戸外配管分析手段
１４  住戸内配管分析手段
【図１】
2005090020.tif 000003
【図２】
2005090020.tif 000004
【図３】
2005090020.tif 000005
【図４】
2005090020.tif 000006
【図５】
2005090020.tif 000007
【図６】
2005090020.tif 000008
【図７】
2005090020.tif 000009
【図８】
2005090020.tif 000010
【図９】
2005090020.tif 000011
【図１０】
2005090020.tif 000012
【図１１】
2005090020.tif 000013
【図１２】
2005090020.tif 000014
【図１３】
2005090020.tif 000015
【図１４】
2005090020.tif 000016
【図１５】
2005090020.tif 000017